(57)【要約】      （修正有）【課題】収納時に、路面走行モードにおける効率的な操作に資する、運転者の後方及び側方の視野を制限しない路面走行可能な航空機の翼を提供する。【解決手段】固定された形状を形成する上面と、該上面に対して隣接した下面と、を具備し、該下面が、収容形状と展開形状との間で変形可能な、翼２２、及び、その翼２２を変形させる方法による。【選択図】図９
2015164843.tif 000002
【特許請求の範囲】
【請求項１】
概して固定された形状を形成する上面と、
該上面に対して隣接した下面と、を具備し、該下面が、収容形状と展開形状との間で変形可能な、翼。
【請求項２】
前記下面が、前記上面の前縁と後縁との間で延びる、請求項１に記載の翼。
【請求項３】
前記下面が、変形可能な材料で製造された、請求項１に記載の翼。
【請求項４】
前記下面が、双安定性の複合材料で製造された、請求項１に記載の翼。
【請求項５】
前記収容形状が、前記上面に対する前記下面の第１の位置を形成し、且つ、前記展開形状が、前記上面に対する前記下面の第２の位置を形成し、前記第１の位置が、前記第２の位置とは異なる、請求項１に記載の翼。
【請求項６】
前記第１の位置は、前記上面の輪郭に概して従うように前記下面を配置する、請求項５に記載の翼。
【請求項７】
前記第２の位置は、前記上面から前記下面を変位させた位置である、請求項５に記載の翼。
【請求項８】
前記下面は、前記収容形状において前記上面に向かって曲がっている、請求項１に記載の翼。
【請求項９】
前記下面が、前記展開形状において、前記上面から離れて曲がっている、請求項１に記載の翼。
【請求項１０】
前記上面が、複合材料で製造された、請求項１に記載の翼。
【請求項１１】
前記上面が、金属合金材料で製造された、請求項１に記載の翼。
【請求項１２】
前記下面と前記上面との間に関節接合スパーを更に具備する、請求項１に記載の翼。
【請求項１３】
当該翼が、エアロカーの本体の上に配置された複数の翼の１つである、請求項１に記載の翼。
【請求項１４】
前縁と後縁との間で概して固定された形状を形成する上面と、
前記前縁と前記後縁との間の下面と、を具備し、前記下面が、収容形状と展開形状との間で変形可能であり、前記下面が、前記収容形状において前記上面に向かって曲がっており、前記下面が、前記展開形状において前記上面から離れて曲がっている、翼。
【請求項１５】
前記下面が、双安定性の複合材料で製造された、請求項１４に記載の翼。
【請求項１６】
前記下面と前記上面との間に関節接合スパーを更に具備する、請求項１４に記載の翼。
【請求項１７】
前記収容形状と前記展開形状との間で前記下面を駆動するように動作可能なアクチュエータを更に具備する、請求項１４に記載の翼。
【請求項１８】
翼を変形させる方法であって、
収容形状と展開形状との間で下面を変形させることを含み、前記下面が、前記収容形状において上面へと曲がり、且つ、前記展開形状において前記上面から離れて曲がる、方法。
【請求項１９】
前記収容形状と前記展開形状との間で前記下面を変形させるため、前記下面を選択的に加熱することを更に含む、請求項１８に記載の方法。
【請求項２０】
前記収容形状と前記展開形状との間で前記下面を変形させるため、前記上面と前記下面との間に選択的に圧力を付与することを更に含む、請求項１８に記載の方法。
【発明の詳細な説明】
【技術分野】
【０００１】
本開示は、固定翼航空機として飛行することができ、かつ陸上の乗り物として走行することができる乗り物に関する。より詳細には、そのための積み重ね可能な翼の構造に関する。
【背景技術】
【０００２】
飛行は、人類の歴史において、常に夢の中心であった。エアロカー、又は、路面走行可能な航空機は、路上を走行し得ると同時に、航空機として離陸し、飛行し且つ着陸し得る乗り物として定義される。そのような性能を示す乗り物は、私的かつ個人的であることを維持しつつ移動性が３次元になるため、運転者に、自由、快適さ、及び目的地に素早く到達する能力を提供する。しかしながら、そのような乗り物においては、飛行モード及び路面走行モードにおける操作を可能にするために、種々のトレードオフが要求され得る。
【発明の概要】
【発明が解決しようとする課題】
【０００３】
一般に、陸上の乗り物の本体又は車体は、駐車及び路上での機動性を促進するために比較的短いが、航空機の機体は、飛行安定性及び操縦確実性（control authority）を促進するために、比較的長い。１つの従来の路面走行可能な航空機では、陸上モードにおいて、各翼は、根元で上向きに折りたたまれ、翼の中ほどの位置で下向きに折りたたまれて、機体に対して収納される（stow）。効率的ではあるものの、折りたたむ位置の数が増えるほど重量及び複雑さは増し、必然的に、各モードにおける操作性に影響を与える。さらに、そのような翼の収納は、路面走行モードにおける効率的な操作に資する、運転者の後方及び側方の視野を、制限する場合がある。
【課題を解決するための手段】
【０００４】
積み重ね可能な翼を含むエアロカー(aerocar)、及び積み重ね可能な翼を変形させる（morphing）方法が開示される。翼には、概して固定された形状の上面と、収容形状と展開形状との間で変形するように構成された下面と、が含まれ得る。収容形状は、路面走行モードにおいて、付加的な翼との組合せによりエアロカー上に翼を積み重ねるのに適している。展開形状は、飛行モードにおいて、エアロカーに揚力を付与するのに適している。
【０００５】
本開示の開示されている限定的でない実施形態に係る翼には、概して固定された形状をなす上面と、上面に隣接する下面であって、収容形状と展開形状との間で変形可能な下面と、が含まれる。
【０００６】
本開示の開示されている別の限定的でない実施形態に係る翼には、前縁と後縁との間に概して固定された形状をなす上面と、前縁と後縁との間の下面と、が含まれる。下面は収容形状と展開形状との間で変形可能であり、下面は収容形状において上面に向かって曲がり、また、下面は展開形状において上面から離れて曲がる。
【０００７】
本開示の開示されている別の限定的でない実施形態に係る、翼を変形させる方法には、収容形状と展開形状との間で下面を変形させることが含まれ、下面は、収容形状において、上面に向かって曲がり（curving toward the upper surface）、展開形状において、上面から離れて曲がる（curving away from the upper surface）。
【０００８】
特に明示しない限り、前述の特徴及び構成要素は、排他的でなく、種々の組合せにより組み合わせることができる。これらの特徴及び構成要素並びにこれらの動作は、以下の説明及び添付図面に照らしてより明らかになる。ただし、以下の説明及び図面が、本来例示的であり限定的でないものとすることを理解する必要がある。
【０００９】
種々の特徴は、開示されている限定的でない実施形態の次に示す詳細な説明から当業者に明らかになる。詳細な説明を伴う添付図面を、以下のように、簡単に説明することができる。
【図面の簡単な説明】
【００１０】
【図１】開示されている限定的でない実施形態に係る、本体の方に後退した（retracted）路面走行モードにおける積み重ね可能な翼を備えた例示的なエアロカーの概略図である。
【図２】本体に対して延びる積み重ね可能な翼のすべてによる第１の飛行モードにおける図１のエアロカーの概略図である。
【図３】本体に対して延びる積み重ね可能な翼の一部による第２の飛行モードにおける図１のエアロカーの概略図である。
【図４】図３の第２の飛行モードにおける１つの積み重ね可能な翼の概略図である。
【図５】収容形状に変形した図４の翼の概略的断面図である。
【図６】展開形状に変形した図４の翼の概略的断面図である。
【図７】開示されている別の限定的でない実施形態に係る、本体の方に後退した路面走行モードにおける積み重ね可能な翼を備えた例示的なエアロカーであって、それぞれの翼が収容形状と展開形状との間で変形可能なエアロカーの概略図である。
【図８】全ての積み重ね可能な翼を本体に対して延ばした、第１の飛行モードにおける図７のエアロカーの概略図である。
【図９】いくつかの（全ての翼ではない）積み重ね可能な翼を本体に対して延ばした、第２の飛行モードにおける図７のエアロカーの概略図を示す。
【発明を実施するための形態】
【００１１】
図１は、路面走行モードにおけるエアロカー１０を概略的に示している。エアロカー１０は、少なくとも１つが操舵輪１４Ａであり少なくとも１つが駆動輪１４Ｂである複数の車輪１４を備えた本体１２と、動力システム１６と、推進システム１８と、積み重ね可能な翼システム２０と、を概して有する。特定のシステム及びサブシステムが別々に定義されているが、サブシステムのそれぞれ又はいずれかを組み合わせるか又は分離できることに留意されたい。
【００１２】
本体１２は、運転者、乗客及び貨物を収容する。動力システム１６は、路面走行モードにおいて駆動輪１４Ｂに動力供給し、且つ、推進型プロペラ、オープンローター、ターボファン又は他の推力発生システムといった推進システム１８に動力供給するように、選択的に動作する。路面走行モードには、種々の前輪、後輪及び全輪駆動形態が含まれ得ることに留意されたい。動力システム１６は、内燃機関、ガスタービン、分散型電気推進システム又は他のエネルギー変換装置及びこれらの組合せを含むがこれらに限定されない、種々の形態のものであってもよい。
【００１３】
積み重ね可能な翼システム２０は、本体に対して選択的に延び、且つ、後退し、離陸、着陸（図２）及び巡航（図３）動作などの特定飛行動作のための可変量の揚力を付与するものである。水平に展開可能な尾翼、及び／又は先尾翼、エレベーター、舵、補助翼、フラップ、スラット、フラッペロンなどの垂直安定板及び種々の動翼などの種々の他のシステム及びサブシステムが考慮されるが、明確化のために示されておらず、積み重ね可能な翼システム２０に焦点を置かないことに留意されたい。
【００１４】
積み重ね可能な翼システム２０は、幅寸法内にエアロカー１０を収容させて路上走行を容易にするように、概して本体１２の上に、又は少なくとも部分的に本体１２内に配置されている。すなわち、積み重ね可能な翼システム２０のそれぞれの翼２２は、路面走行モードの際、エアロカー１０の幅を最小にするように、本体１２の幅と概して等しい翼長を画定している。積み重ね可能な翼システム２０は、例えば、一般的な家庭用ガレージ、駐車場所内などにおけるエアロカー１０の駐車を容易にする。
【００１５】
複数の翼２２はそれぞれ、積み重ね可能な翼システム２０が種々の飛行動作において調整できるように、選択的に本体１２から個別に延びている。例えば、複数の翼２２はすべて、路面走行モードにおいて、本体１２の上に緊密に、又は少なくとも部分的に本体１２内に積み重ねられ、複数の翼２２はすべて、最大有効翼面積を提供するように、離着陸動作において本体１２から延び（図２）、また、複数の翼２２の一部は、効率的な巡航動作において有効翼面積を調整するように、本体１２から延びている（図３）。例示の動作モードが、種々の他の配置及び中間位置でも利益が得られるという点で、概略的であり例にすぎないことに留意されたい。さらに、複数の翼２２のそれぞれの間の翼間変位（displacement）は、飛行動作、安定性及び操縦性を最適化するように、代替的に又は付加的に、個別に構成及び調整することができる。
【００１６】
図４を参照すると、複数の翼２２はそれぞれ、前縁３０と後縁３２とを有し、これらの間の空間は翼弦（chord）を画定している。前縁３０と後縁３２との間に延びる上面３４及び下面３６は、所望の翼形状を画定している。また、上面３４は、一般に、吸込側と称し、下面３６は圧迫側（pressure side）と称することもできる。種々の種類の翼、例えば、平底型、対称型、非対称型、下チャンバ型(under chamber)及び他の翼を備えていてもよいことを認識する必要がある。
【００１７】
開示されている限定的でない実施形態において、上面３４は、概して固定された形状の硬質シェルを形成し、当該硬質シェルは、例えば、適切な樹脂マトリックス中に埋め込まれたガラス繊維織物材料などのプリプレグ複合材料、アルミニウムなどの金属合金及びこれらの組合せから製造することができる。すなわち、上面３４は、概して硬質の固定された断面形状として製造される。
【００１８】
下面３６は、上面３４とは異なり、変形可能である。すなわち、下面３６は、収容形状３６Ａ（図５）と展開形状３６Ｂ（図６）との間で変形することが可能な可変の断面形状を有する。収容形状３６Ａ及び展開形状３６Ｂが種々の断面形状のものであってもよく、示されている断面形状が概略的であるにすぎないことを認識する必要がある。
【００１９】
この開示されている限定的でない実施形態において、収容形状３６Ａは、路面走行モードにおいて収容される場合、複数の翼２２が入れ子になるように、上面３４の形状に概して従う(follows)（図７）。このため、この開示されている限定的でない実施形態におけるこの入れ子にできる積み重ね可能な翼２２は、それぞれの関連する翼が本体１２から所望の展開飛行モードに選択的に延びる（図８及び９）と、収容形状３６Ａ（図５）から展開形状３６Ｂ（図６）に変形することができる。すなわち、変形可能な下面３６は、本体１２に対してコンパクトで緊密に収容可能な構造を容易にするが、飛行モードの展開形状３６Ｂ（図６）に変形する。かかる緊密に収容可能な構造は、例えば薄型でスタイリッシュなボディーデザインの可能性を容易にし、さらに、路面走行モードの際、運転者の側面及び後方視野を妨げない。
【００２０】
この開示されている限定的でない実施形態において、下面３６の展開形状３６Ｂは、翼形状をなすように、概して上面３４から延びている。換言すると、収容形状３６Ａは、厚さが減少したコンパクトな形状をなし、展開形状３６Ｂは翼形状をなしている。すなわち、下面３６は収容形状３６Ａにおいて上面３４に向かって曲がり、また、下面３６は展開形状３６Ｂにおいて上面３４から離れて曲がる。
【００２１】
下面３６は、例えば収容形状３６Ａ（図５）と展開形状３６Ｂ（図６との）間で変形するような、一の安定形状から別の形状へとスナップ動作可能な（operable to snap）双安定性の複合材料（bistable composite）といった双安定性の変形材料で製造され得る。双安定性の複合材料は、２つの静的に安定したモードを有する複合構造体の一種である。この双安定特性は、固定された面内残留応力から生じ、それぞれの安定モードを保持するのに継続動力が必要ではない下面３６などの適応構造に特に適し得る。安定状態間の変化は、本来非常に非線形であるジャンプ現象又は飛び移り現象（jump phenomenon or snap-through）として物理的に実現される。
【００２２】
双安定性の複合材料には、双安定曲線が形成されるように積層内に複数の繊維方向がある非対称積層体が含まれていてもよい。さらに、曲線の形状を調整し、そして、所望の翼形状を生じるように、下面３６の積層に種々の厚さを設けることもできる。双安定性の変形材料が例示の実施形態に開示されているが、三安定性の(tri-stable)ものとともに他の適応構造も利益を受けることに留意されたい。
【００２３】
引き続き図４〜６を参照すると、下面３６は、アクチュエータ４０によって、収容形状３６Ａと展開形状３６Ｂとの間で選択的に変形することができる。アクチュエータ４０には、例えば、電流を印加して変形双安定性積層体内に埋め込まれた電熱材料内にジュール加熱を発生させる、電源が含まれていてもよい。埋め込まれた電熱材料は、選択的に温度を上昇させて状態間に移動をもたらすように使用可能である。このため、この変形双安定性積層体は、加熱効果によって一方の安定状態から他方の安定状態に変形することができる。
【００２４】
別の例において、アクチュエータ４０は、圧力を加えて下面３６を展開形状３６Ｂに「スナップ変形させる(snap)」ように、又は、吸引力を加えて下面３６を収容形状３６Ａに「スナップ変形させる」ように、動作可能な空気源であってもよい。種々の他のアクチュエータが利益を受けることに留意されたい。
【００２５】
アクチュエータ４０は、制御サブシステム４２であって、概して、制御モジュール４４とともに、プロセッサ４６、メモリ４８及びインターフェース５０を含む制御サブシステムに応じて作動され得る。プロセッサ４６は、所望の性能特性を有するいずれかの種類のマイクロプロセッサであってもよい。メモリ４８には、いずれかの種類のコンピュータ可読媒体であって、所望の飛行動作において翼２２を展開し構成するものなどの本明細書に記載のデータ及び制御アルゴリズムを記憶するコンピュータ可読媒体が含まれ得る。
【００２６】
図５及び６Ｂを参照すると、展開形状３６Ｂにおける下面３６の維持を容易にするように、１以上の関節接合スパー(articulable spar)６０が、下面３６と上面３４との間に延びている。関節接合スパー６０は、ねじれ、屈曲、剪断及び、飛行動作時に翼２２内で発生する他の負荷に対応するように、それぞれの翼２２内で構造部材として機能する。本明細書に定義されている「関節接合(articulable)」には、折畳み、伸縮、屈曲、蝶番で動くこと(hinging)、及び他の運動が含まれるが、これらに限定されない。開示されている限定的でない実施形態において、双安定性の材料は、収容形状３６Ａと展開形状３６Ｂの双方における関節接合スパー６０の移動及び安定位置を容易にするのに利用することができる。
【００２７】
例えば、「前方(forward)」、「後方(aft)」、「上部(upper)」、「下部(lower)」、「〜の上に(above)」、「〜の下に(below)」などの相対的な位置についての用語が、乗り物又は車両の通常の動作姿勢を基準にしていることを理解し、それ以外に限定することを考慮する必要はない。
【００２８】
種々の限定的でない実施形態は特定の例示的構成要素を有するが、本発明の実施形態は、これらの特定の組合せに限定されない。他の限定的でない実施形態のうちのいずれかの特徴又は構成要素と組み合わせて、限定的でない実施形態のうちのいずれかの一部の構成要素又は特徴を用いることが可能である。
【００２９】
同一の参照符号が、複数の図面全体において、対応する構成要素又は同様の構成要素を特定することを理解する必要がある。また、特定の構成要素の配置が例示の実施形態に開示されているが、他の配置が利益を受けることも理解する必要がある。
【００３０】
特定の段階の順序が示され、記載され、特許請求の範囲に記載されているが、特に明記しない限り、段階が、いずれかの順序により実行され、分離されるか又は組み合わせられてもよく、さらに、本開示から利益を受けることを理解する必要がある。
【００３１】
前述の記載は、例示的ではなく、記載範囲内の限定によって定義される。ただし、種々の限定的でない実施形態が本明細書に開示されており、当業者であれば、上述の教示内容に照らして、種々の変更及び変形が、添付した特許請求の範囲の範囲内に入ることを認識する。したがって、添付した特許請求の範囲の範囲内において、本開示は、具体的に記載されている以外のものによっても実施できることを理解する必要がある。このため、添付の特許請求の範囲は、真の範囲及び内容を決定するように検討される必要がある。
【符号の説明】
【００３２】
１０    エアロカー
１２    本体
１４Ａ    操舵輪
１４Ｂ    駆動輪
１６    動力システム
１８    推進システム
２０    積み重ね可能な翼システム
２２    翼
【図１】
2015164843.tif 000003
【図２】
2015164843.tif 000004
【図３】
2015164843.tif 000005
【図４】
2015164843.tif 000006
【図５】
2015164843.tif 000007
【図６】
2015164843.tif 000008
【図７】
2015164843.tif 000009
【図８】
2015164843.tif 000010
【図９】
2015164843.tif 000011